(57)【要約】【課題】バルーンの膨らみ具合を微妙に調整する必要がある場合に、操作者が、操作部を保持する手の一つの指先で、疲労なく容易に微調整操作を行うことができるバルーン付内視鏡を提供すること。【解決手段】挿入部１の基端に連結された操作部３に、バルーン２内に流体が注入も排出もされない閉鎖状態と、バルーン２内に流体を注入させる流体注入状態と、バルーン２内から流体を排出させる流体排出状態とを切り換え可能な切換弁１０を配置すると共に、切換弁１０の閉鎖状態と流体注入状態と流体排出状態とを一つの部材で切り換え操作することができる切換弁操作部材４を設けた。【選択図】      図１
2010125019.tif 000002
【特許請求の範囲】
【請求項１】
挿入部の先端付近の外面に設けられたバルーン内に、上記挿入部の基端側からの遠隔操作で流体を注入及び排出させることにより、上記バルーンが膨縮するように構成されたバルーン付内視鏡において、
上記挿入部の基端に連結された操作部に、上記バルーン内に上記流体が注入も排出もされない閉鎖状態と、上記バルーン内に上記流体を注入させる流体注入状態と、上記バルーン内から上記流体を排出させる流体排出状態とを切り換え可能な切換弁を配置すると共に、上記切換弁の上記閉鎖状態と上記流体注入状態と上記流体排出状態とを一つの部材で切り換え操作することができる切換弁操作部材を設けたことを特徴とするバルーン付内視鏡。
【発明の詳細な説明】
【技術分野】
【０００１】
この発明はバルーン付内視鏡に関する。
【背景技術】
【０００２】
内視鏡の挿入部は一般に可撓管状に形成されているが、被写体との間の距離を適正に保ったり、挿入部先端を体内の管腔内の所望の位置に固定したりするために、遠隔操作によって膨縮自在なバルーンが挿入部の先端付近に設けられたバルーン付内視鏡が用いられている（例えば、特許文献１、２）。
【特許文献１】特開２００２−３０１０１９
【特許文献２】特開２００７−２８２７１３
【発明の開示】
【発明が解決しようとする課題】
【０００３】
従来のバルーン付内視鏡においては、バルーンを膨らませる操作をするための操作部材と、バルーンを縮ませる操作をするための操作部材とが別々に設けられていたので、バルーンの膨らみ具合を微妙に調整する必要がある場合にその操作が煩雑になって、操作者が疲労（特に、神経を疲労）する場合があった。
【０００４】
本発明は、バルーンの膨らみ具合を微妙に調整する必要がある場合に、操作者が、操作部を保持する手の一つの指先で、疲労なく容易に微調整操作を行うことができるバルーン付内視鏡を提供することを目的とする。
【課題を解決するための手段】
【０００５】
上記の目的を達成するため、本発明のバルーン付内視鏡は、挿入部の先端付近の外面に設けられたバルーン内に、挿入部の基端側からの遠隔操作で流体を注入及び排出させることにより、バルーンが膨縮するように構成されたバルーン付内視鏡において、挿入部の基端に連結された操作部に、バルーン内に流体が注入も排出もされない閉鎖状態と、バルーン内に流体を注入させる流体注入状態と、バルーン内から流体を排出させる流体排出状態とを切り換え可能な切換弁を配置すると共に、切換弁の閉鎖状態と流体注入状態と流体排出状態とを一つの部材で切り換え操作することができる切換弁操作部材を設けたものである。
【発明の効果】
【０００６】
本発明によれば、切換弁の閉鎖状態と流体注入状態と流体排出状態とを一つの部材で切り換え操作することができる切換弁操作部材を設けたことにより、バルーンの膨らみ具合を微妙に調整する必要がある場合に、操作者が、操作部を保持する手の一つの指先で、疲労なく容易に微調整操作を行うことができる。
【発明を実施するための最良の形態】
【０００７】
挿入部の先端付近の外面に設けられたバルーン内に、挿入部の基端側からの遠隔操作で流体を注入及び排出させることにより、バルーンが膨縮するように構成されたバルーン付内視鏡において、挿入部の基端に連結された操作部に、バルーン内に上記流体が注入も排出もされない閉鎖状態と、バルーン内に流体を注入させる流体注入状態と、バルーン内から流体を排出させる流体排出状態とを切り換え可能な切換弁を配置すると共に、切換弁の閉鎖状態と流体注入状態と流体排出状態とを一つの部材で切り換え操作することができる切換弁操作部材を設ける。
【実施例】
【０００８】
以下、図面を参照して本発明の実施例を説明する。
図２は、バルーン付内視鏡を示しており、可撓管状の挿入部１の先端付近の外面に、膨縮自在なバルーン２が挿入部１の周囲を囲む状態に取り付けられている。
【０００９】
挿入部１の基端に連結された操作部３には、加圧空気（流体）をバルーン２に注入及び排出させる遠隔操作を行うための切換弁操作摘み４（切換弁操作部材）が配置されていて、切換弁操作摘み４を矢印Ｘで示されるようにスライド操作することにより、バルーン２を任意に膨縮させることができる。
【００１０】
図１は、バルーン２を膨縮させるための装置構成全体を略示しており、切換弁操作摘み４によって操作される切換弁１０が操作部３内に配置されていて、その切換弁１０とバルーン２との間を連通接続するバルーン連通管５が、挿入部１内に全長にわたって挿通配置されている。
【００１１】
６は、外端に切換弁操作摘み４が取り付けられた操作レバーであり、切換弁操作摘み４がスライド操作されると回動支軸７を中心に操作レバー６が回動して、操作レバー６の切換弁操作摘み４とは反対側の端部に連結された駆動ピン８をスライドさせ、それによって切換弁１０の流路切り換え動作が行われる。
【００１２】
図示されていない光源装置に接続されるコネクタ部１１が先端に取り付けられた可撓性連結管１２内には、切換弁１０に接続された給気管１３と排気管１４が並列に全長にわたって挿通配置されている。
【００１３】
給気管１３の他端側はコネクタ部１１を経由して外部の給気装置１５に接続され、排気管１４の他端側は排気装置１６に接続されている。なお、排気装置１６を省いて、排気管１４を大気に開放させてもよいが、排気装置１６が接続されていると、バルーン２を縮ませる動作が速まるので、バルーン２の膨縮状態を速やかに微調整することができる。
【００１４】
図３、図４及び図５は切換弁１０を示している。図３は切換弁１０の外観斜視図であり、五面に外壁が形成された直方体状のハウジング２１の開放面に、蓋体２２がビス止め固定されている。７Ｈは、回動支軸７が回転自在に係合する孔である。
【００１５】
図４は切換弁１０の分解斜視図、図５は側面断面図である。ハウジング２１の側壁の一つ（図において上側の側壁）にはバルーン連通管５が開口接続され、それと反対側の側壁には、給気管１３と排気管１４が間隔をあけて開口接続されている。
【００１６】
流路を切り換えるためにハウジング２１内に配置された流路切換弁体２３は、ハウジング２１の長手方向にスライド自在に配置されていて、駆動ピン８が側方から流路切換弁体２３に係合している。バルーン連通管５が開口するハウジング２１の内壁面及び給気管１３と排気管１４が開口する内壁面とに対して接触する流路切換弁体２３側の接触面には、シール部材２４，２５が取り付けられている。
【００１７】
また、ハウジング２１の空間内で流路切換弁体２３を長手方向の相反する方向に弾力的に付勢する一対の圧縮コイルスプリング２６，２７が、流路切換弁体２３を間に挟んだ状態にハウジング２１内に配置されている。
【００１８】
それによって、流路切換弁体２３は相反する方向から作用する二つの圧縮コイルスプリング２６，２７の付勢力が釣り合うニュートラル位置で静止し、駆動ピン８により、二つの圧縮コイルスプリング２６，２７の一方を圧縮させ他方を伸ばす状態に、流路切換弁体２３をスライド移動させることができる。
【００１９】
２８は、バルーン連通管５と給気管１３又は排気管１４との間を選択して連通させるために、流路切換弁体２３に貫通形成された切り換え流路である。流路切換弁体２３にはこの切り換え流路２８以外に流路孔の類は形成されていない。
【００２０】
２９は、ニュートラル状態の時に切り換え流路２８の一端側（給気管１３及び排気管１４が開口する側）を囲んでシールするようにハウジング２１に取り付けられたシール部材であり、３０は、流路切換弁体２３のバルーン連通管５に面する側の壁面に凹んで形成された連通溝である。
【００２１】
このような構成により、切換弁操作摘み４が操作されないニュートラル状態においては、図５に示されるように、バルーン連通管５の開口及び給気管１３と排気管１４の各開口がいずれも閉塞された状態になっている。したがって、バルーン連通管５と連通しているバルーン２は新たな膨縮動作をせず、その前の状態を維持する。
【００２２】
そして、切換弁操作摘み４がスライド方向の一方に指先でスライド操作されると、図６に示されるように、操作レバー６と駆動ピン８を介して流路切換弁体２３がスライドして、給気管１３とバルーン連通管５が連通する状態になり、バルーン２内に加圧空気が送り込まれてバルーン２が膨らむ。
【００２３】
また、切換弁操作摘み４が、逆方向にスライド操作されると、図７に示されるように、排気管１４とバルーン連通管５が連通する状態に流路切換弁体２３がスライドし、バルーン２内から加圧空気が排出されてバルーン２が縮む。
【００２４】
このようにして、切換弁操作摘み４に触れる一つの指先の操作によりバルーン２を自在に膨縮させることができるので、バルーン２の膨らみ具合を微妙に調整する必要がある場合等であっても、操作者が、操作部３を保持する手の一つの指先で、疲労なく容易に微調整操作を行うことができる。
【００２５】
なお、本発明は上記実施例に限定されるものではなく、例えば、バルーン２を膨縮させる流体が加圧空気以外の加圧水その他の流体であっても差し支えない。また、切換弁１０や切換弁操作摘み４が実施例に図示された態様以外のものであっても差し支えない。
【図面の簡単な説明】
【００２６】
【図１】本発明の実施例のバルーンを膨縮させるための装置構成全体の略示図である。
【図２】本発明の実施例のバルーン付内視鏡の外観図である。
【図３】本発明の実施例の切換弁の外観斜視図である。
【図４】本発明の実施例の切換弁の分解斜視図である。
【図５】本発明の実施例の切換弁のニュートラル状態の側面断面図である。
【図６】本発明の実施例の切換弁のバルーンを膨らませる状態の側面断面図である。
【図７】本発明の実施例の切換弁のバルーンを縮ませる状態の側面断面図である。
【符号の説明】
【００２７】
１  挿入部
２  バルーン
３  操作部
４  切換弁操作摘み（切換弁操作部材）
５  バルーン連通管
１０  切換弁
１３  給気管
１４  排気管
２３  流路切換弁体
２８  切り換え流路
３０  連通溝
【図１】
2010125019.tif 000003
【図２】
2010125019.tif 000004
【図３】
2010125019.tif 000005
【図４】
2010125019.tif 000006
【図５】
2010125019.tif 000007
【図６】
2010125019.tif 000008
【図７】
2010125019.tif 000009